(57)【要約】【課題】介助支援を希望する車椅子利用者が、一番近くにいるボランティア提供者に介助支援の依頼知を自動的に行う。【解決手段】車椅子利用者の移動体通信端末５は、入力された車椅子利用者の位置をイベントとしてＳＩＯＮｅｔ１３に送信し、ボランティア提供者の移動体通信端末６〜８から送信されてきた応答を受信し、この応答に含まれている位置情報と、ＧＰＳ受信機９により取得された位置情報とから、各ボランティア提供者１〜３の移動体通信端末６〜８との間の距離をそれぞれ算出し、ボランティア提供者１〜３の移動体通信端末６〜８のうちから一番近いボランティア提供者の移動体通信端末に対して介助支援の依頼を通知する。【選択図】      図１
2004310431.tif 000002
【特許請求の範囲】
【請求項１】
データをイベントとして送信する送信端末と、イベントとして送信された前記データを選択的に受信するために、イベントのタイプと取得条件とからなるフィルタが設定される受信端末とから構成される意味情報ネットワークを用いて、介助支援を必要とする介助支援希望者が介助支援を行っている介助支援提供者を探索するための、意味情報ネットワークを用いた介助支援提供者通知方法であって、
介助支援提供者の移動体通信端末が、入力された当該介助支援提供者の位置をフィルタとして設定するステップと、
前記介助支援希望者の移動体通信端末から、入力された当該介助支援提供者の位置をイベントとして前記意味情報ネットワークに送信するステップと、
前記介助支援提供者の移動体通信端末が、前記介助支援希望者の移動体通信端末から送信されたイベントを前記意味情報ネットワークから受信し、前記介助支援提供者の移動体通信端末に設けられている位置情報所得手段により取得した当該介助支援提供者の移動体通信端末の位置情報を含めた応答を、前記介助支援希望者の移動体通信端末に送信するステップと、
前記介助支援希望者の移動体通信端末が、前記介助支援提供者の移動体通信端末から送信されてきた応答を受信し、該応答に含まれている位置情報と、当該介助支援希望者の移動体通信端末に設けられている位置情報取得手段により取得した当該介助支援希望者の移動体通信端末の位置情報とから、前記各介助支援提供者の移動体通信端末と当該介助支援希望者の移動体通信端末との間の距離をそれぞれ算出し、当該介助支援希望者の移動体通信端末に一番近い介助支援提供者の移動体通信端末に対して介助支援の依頼を通知するステップとを有する、意味情報ネットワークを用いた介助支援提供者通知方法。
【請求項２】
データをイベントとして送信する送信端末と、イベントとして送信された前記データを選択的に受信するために、イベントのタイプと取得条件とからなるフィルタが設定される受信端末とから構成される意味情報ネットワークを用いて、介助支援を必要とする介助支援希望者が介助支援を行っている介助支援提供者を探索するための、意味情報ネットワークを用いた介助支援提供者通知方法であって、
介助支援提供者の移動体通信端末が、入力された当該介助支援提供者の位置をフィルタとして設定するステップと、
前記介助支援希望者の移動体通信端末から、入力された当該介助支援提供者の位置をイベントとして前記意味情報ネットワークに送信するステップと、
前記介助支援提供者の移動体通信端末が、前記介助支援希望者の移動体通信端末から送信されたイベントを前記意味情報ネットワークから受信し、前記介助支援提供者の移動体通信端末に設けられている位置情報所得手段により取得した当該介助支援提供者の移動体通信端末の位置情報を含めた応答を、前記介助支援希望者の移動体通信端末に送信するステップと、
前記介助支援希望者の移動体通信端末において、必要な介助支援提供者の数を入力するステップと、
前記介助支援希望者の移動体通信端末が、前記介助支援提供者の移動体通信端末から送信されてきた応答を受信し、該応答に含まれている位置情報と、当該介助支援希望者の移動体通信端末に設けられている位置情報取得手段により取得した当該介助支援希望者の移動体通信端末の位置情報とから、前記各介助支援提供者の移動体通信端末と当該介助支援希望者の移動体通信端末との間の距離をそれぞれ算出し、前記複数の介助支援希望者の移動体通信端末のうち、当該介助支援希望者の移動体通信端末に近い順に指定された前記必要な介助支援提供者の数だけ介助支援の依頼を通知するステップとを有する、意味情報ネットワークを用いた介助支援提供者通知方法。
【請求項３】
前記介助支援希望者の移動体通信端末は、介助支援の依頼を通知した介助支援提供者が予め設定された時間内に到着しない旨の入力がされた場合、前記介助支援希望者の移動体通信端末から次に近い介助支援提供者の移動体通信端末に介助支援依頼を通知する請求項１または２記載の意味情報ネットワークを用いた介助支援提供者通知方法。
【請求項４】
データをイベントとして送信する送信端末と、イベントとして送信された前記データを選択的に受信するために、イベントのタイプと取得条件とからなるフィルタが設定される受信端末とから構成される意味情報ネットワークを用いて、介助支援を必要とする介助支援希望者が介助支援を行っている介助支援提供者を探索するための、意味情報ネットワークを用いた介助支援提供者通知システムであって、
現在の位置を位置情報として取得する第１の位置情報取得手段を有し、入力された当該介助支援提供者の位置をフィルタとして設定し、前記介助支援希望者の移動体通信端末から送信されたイベントを前記意味情報ネットワークから受信し、前記第１の位置情報所得手段により取得された位置情報を含めた応答を、前記介助支援希望者の移動体通信端末に送信する複数の介助支援提供者の移動体通信端末と、
現在の位置を位置情報として取得する第２の位置情報取得手段を有し、入力された当該介助支援提供者の位置をイベントとして前記意味情報ネットワークに送信し、前記介助支援提供者の移動体通信端末から送信されてきた応答を受信し、該応答に含まれている位置情報と、前記第２の位置情報取得手段により取得された位置情報とから、前記各介助支援提供者の移動体通信端末との間の距離をそれぞれ算出し、前記複数の介助支援提供者の移動体通信端末のうちから一番近い介助支援提供者の移動体通信端末に対して介助支援の依頼を通知する介助支援希望者の移動体通信端末とから構成される、意味情報ネットワークを用いた介助支援提供者通知システム。
【請求項５】
データをイベントとして送信する送信端末と、イベントとして送信された前記データを選択的に受信するために、イベントのタイプと取得条件とからなるフィルタが設定される受信端末とから構成される意味情報ネットワークを用いて、介助支援を必要とする介助支援希望者が介助支援を行っている介助支援提供者を探索するための、意味情報ネットワークを用いた介助支援提供者通知システムであって、
現在の位置を位置情報として取得する第１の位置情報取得手段を有し、入力された当該介助支援提供者の位置をフィルタとして設定し、前記介助支援希望者の移動体通信端末から送信されたイベントを前記意味情報ネットワークから受信し、前記第１の位置情報所得手段により取得された位置情報を含めた応答を、前記介助支援希望者の移動体通信端末に送信する複数の介助支援提供者の移動体通信端末と、
現在の位置を位置情報として取得する第２の位置情報取得手段を有し、入力された当該介助支援提供者の位置をイベントとして前記意味情報ネットワークに送信し、前記介助支援提供者の移動体通信端末から送信されてきた応答を受信し、該応答に含まれている位置情報と、前記第２の位置情報取得手段により取得された位置情報とから、前記各介助支援提供者の移動体通信端末との間の距離をそれぞれ算出し、前記複数の介助支援希望者の移動体通信端末のうち、当該介助支援希望者の移動体通信端末に近い順に指定された必要な介助支援提供者の数だけ介助支援の依頼を通知する介助支援希望者の移動体通信端末とから構成される、意味情報ネットワークを用いた介助支援提供者通知システム。
【請求項６】
前記介助支援希望者の移動体通信端末は、介助支援の依頼を通知した介助支援提供者が予め設定された時間内に到着しない旨の入力がされた場合、前記介助支援希望者の移動体通信端末から次に近い介助支援提供者の移動体通信端末に介助支援依頼を通知する請求項４または５記載の意味情報ネットワークを用いた介助支援提供者通知システム。
【請求項７】
データをイベントとして送信する送信端末と、イベントとして送信された前記データを選択的に受信するために、イベントのタイプと取得条件とからなるフィルタが設定される受信端末とから構成される意味情報ネットワークを用いて、介助支援を必要とする介助支援希望者が介助支援を行っている介助支援提供者を探索するための移動体通信端末であって、
現在の位置を位置情報として取得する位置情報取得手段を有し、入力された当該介助支援提供者の位置をイベントとして前記意味情報ネットワークに送信し、介助支援提供者の移動体通信端末から送信されてきた応答を受信し、該応答に含まれている位置情報と、前記位置情報取得手段により取得された位置情報とから、前記各介助支援提供者の移動体通信端末との間の距離をそれぞれ算出し、前記複数の介助支援提供者の移動体通信端末のうちから一番近い介助支援提供者の移動体通信端末に対して介助支援の依頼を通知する介助支援希望者の移動体通信端末。
【請求項８】
データをイベントとして送信する送信端末と、イベントとして送信された前記データを選択的に受信するために、イベントのタイプと取得条件とからなるフィルタが設定される受信端末とから構成される意味情報ネットワークを用いて、介助支援を行っている介助支援提供者が介助支援を必要とする介助支援希望者からの介助依頼通知を受信するための移動体通信端末であって、
現在の位置を位置情報として取得する位置情報取得手段を有し、入力された当該介助支援提供者の位置をフィルタとして設定し、前記介助支援希望者の移動体通信端末から送信されたイベントを前記意味情報ネットワークから受信し、前記位置情報所得手段により取得された位置情報を含めた応答を、前記介助支援希望者の移動体通信端末に送信する移動体通信端末。
【請求項９】
介助支援の依頼を通知した介助支援提供者が予め設定された時間内に到着しない旨の入力がされた場合、前記介助支援希望者の移動体通信端末から次に近い介助支援提供者の移動体通信端末に介助支援依頼を通知する請求項７記載の移動体通信端末。
【発明の詳細な説明】
【０００１】
【発明の属する技術分野】
本発明は、意味情報ネットワークを用いて、車椅子利用者等の介助支援を希望する介助支援希望者が、移動しているボランティア提供者等の介助支援提供者に介助支援の依頼を通知するための介助支援提供者通知方法および通知システムに関する。
【０００２】
【従来の技術】
車椅子利用者等がある場所において移動しようとして、ボランティア提供者等の介助支援を受けようとした場合、近くにいるボランティア提供者を簡単な方法で捜すことができるれば便利である。また、車椅子利用者の介助支援を行うとするボランティア提供者にとっても、近くにいる車椅子利用者を探すことができれば便利である。
【０００３】
現在の位置を特定するシステムとしてはＧＰＳ（Ｇｌｏｂａｌ  Ｐｏｓｉｔｉｏｎｉｎｇ  Ｓｙｓｔｅｍ）が普及しているため、車椅子利用者がＧＰＳ機能を備えた携帯端末を保有して、この携帯端末によって得られた位置情報に基づいて車椅子利用者の位置を特定することが考えられる。
【０００４】
しかし、ＧＰＳ等の位置情報だけの把握ではボランティア提供者は車椅子利用者が来たかどうかを知る事は難しく、また車椅子利用者が現れた時に、近くに複数のボランティア提供者がいれば車椅子利用者が必要とする人数以上の複数のボランティア提供者が車椅子利用者に集中してしまう可能性もある。
【０００５】
このような問題を解決するため、ある移動するサービス要求者が、複数の移動するサービス提供者の中から、サービス要求者の近くにいるサービス提供者を探索することを可能とした技術が、仲介者を必要とすることなく可能とする移動するサービス提供者探索システムが、特許文献１に開示されている。
【０００６】
この特許文献１に開示されている技術では、仲介となるサーバを必要とすることなく２つの端末のｐｅｅｒ−ｔｏ−ｐｅｅｒ接続を可能とする意味情報ネットワーク（Ｓｅｍａｎｔｉｃ  Ｉｎｆｏｒｍａｔｉｏｎ−Ｏｒｉｅｎｔｅｄ  Ｎｅｔｗｏｒｋ    以下ＳＩＯＮｅｔと称する。）が用いられている。そして、このシステムによれば、複数のタクシー運転手はＧＰＳ受信機等により取得した自己の位置情報をフィルタとして意味情報ネットワークに登録しておき、タクシーの利用を希望する利用者が、ＧＰＳ受信機等により取得した位置情報をイベント情報としてＳＩＯＮｅｔに送信することにより、タクシーの利用を希望する利用者は、近くに存在するタクシーの中から自分にとって都合の良いものを１つ選択することが可能となる。
【０００７】
しかし、この従来の移動するサービス提供者探索システムでは、利用者は、表示された複数のタクシーの中から利用しようとするタクシーを選択する必要があった。そのため、このようなサービス提供者探索システムを用いて介助支援提供者を探索して介助支援の依頼を行うとした場合、車椅子利用者は端末の操作を行わなければならず、介助支援が必要となる介助支援希望者にとっては利用し難いものとなることが想像される。そのため、従来のシステムでは、ＳＩＯＮｅｔを用いたとしても、車椅子利用者等の介助支援希望者が、介助支援希望者の一番近くにいるボランティア提供者に介助支援の提供を自動的に通知することはできなかった。
【０００８】
【特許文献１】
特開２００２−１８３８７４号公報
【０００９】
【発明が解決しようとする課題】
上述した従来のシステムでは、ＳＩＯＮｅｔを用いたとしても、車椅子利用者等の介助支援希望者が、介助支援希望者の一番近くにいるボランティア提供者に介助支援の提供を自動的に通知することはできないという問題点があった。
【００１０】
本発明の目的は、介助支援を希望する介助支援希望者が、一番近くにいるボランティア提供者等の介助支援提供者に介助支援を依頼する通知を自動的に行うことができる介助支援提供者通知システムおよび通知方法を提供することである。
【００１１】
【課題を解決するための手段】
上記目的を達成するために、本発明のボランティア提供者通知方法は、データをイベントとして送信する送信端末と、イベントとして送信された前記データを選択的に受信するために、イベントのタイプと取得条件とからなるフィルタが設定される受信端末とから構成される意味情報ネットワークを用いて、介助支援を必要とする介助支援希望者が介助支援を行っている介助支援提供者を探索するための、意味情報ネットワークを用いた介助支援提供者通知方法であって、
介助支援提供者の移動体通信端末が、入力された当該介助支援提供者の位置をフィルタとして設定するステップと、
前記介助支援希望者の移動体通信端末から、入力された当該介助支援提供者の位置をイベントとして前記意味情報ネットワークに送信するステップと、
前記介助支援提供者の移動体通信端末が、前記介助支援希望者の移動体通信端末から送信されたイベントを前記意味情報ネットワークから受信し、前記介助支援提供者の移動体通信端末に設けられている位置情報所得手段により取得した当該介助支援提供者の移動体通信端末の位置情報を含めた応答を、前記介助支援希望者の移動体通信端末に送信するステップと、
前記介助支援希望者の移動体通信端末が、前記介助支援提供者の移動体通信端末から送信されてきた応答を受信し、該応答に含まれている位置情報と、当該介助支援希望者の移動体通信端末に設けられている位置情報取得手段により取得した当該介助支援希望者の移動体通信端末の位置情報とから、前記各介助支援提供者の移動体通信端末と当該介助支援希望者の移動体通信端末との間の距離をそれぞれ算出し、当該介助支援希望者の移動体通信端末に一番近い介助支援提供者の移動体通信端末に対して介助支援の依頼を通知するステップとを有している。
【００１２】
本発明によれば、介助支援希望者の移動体通信端末と介助支援提供者の移動体通信端末との間で自動的にイベントの送受信が行われ、介助支援希望者の端末と介助支援提供者のそれぞれの移動体通信端末に備えられた位置情報取得手段により取得された位置情報を用いて距離の算出が行われる。そのため、車椅子利用者等の介助支援希望者は、介助支援が必要となった場合、一番近くの介助支援提供者に介助支援の依頼を自動的に行うことができる。また、介助支援提供者にとっても、介助支援を必要とする介助支援希望者が近くに来たことを知らせてもらうことが可能となり、どの場所に介助支援希望者がいるのかを容易に把握することができるようになる。
【００１３】
また、本発明の他のボランティア提供者通知方法は、データをイベントとして送信する送信端末と、イベントとして送信された前記データを選択的に受信するために、イベントのタイプと取得条件とからなるフィルタが設定される受信端末とから構成される意味情報ネットワークを用いて、介助支援を必要とする介助支援希望者が介助支援を行っている介助支援提供者を探索するための、意味情報ネットワークを用いた介助支援提供者通知方法であって、
介助支援提供者の移動体通信端末が、入力された当該介助支援提供者の位置をフィルタとして設定するステップと、
前記介助支援希望者の移動体通信端末から、入力された当該介助支援提供者の位置をイベントとして前記意味情報ネットワークに送信するステップと、
前記介助支援提供者の移動体通信端末が、前記介助支援希望者の移動体通信端末から送信されたイベントを前記意味情報ネットワークから受信し、前記介助支援提供者の移動体通信端末に設けられている位置情報所得手段により取得した当該介助支援提供者の移動体通信端末の位置情報を含めた応答を、前記介助支援希望者の移動体通信端末に送信するステップと、
前記介助支援希望者の移動体通信端末において、必要な介助支援提供者の数を入力するステップと、
前記介助支援希望者の移動体通信端末が、前記介助支援提供者の移動体通信端末から送信されてきた応答を受信し、該応答に含まれている位置情報と、当該介助支援希望者の移動体通信端末に設けられている位置情報取得手段により取得した当該介助支援希望者の移動体通信端末の位置情報とから、前記各介助支援提供者の移動体通信端末と当該介助支援希望者の移動体通信端末との間の距離をそれぞれ算出し、前記複数の介助支援希望者の移動体通信端末のうち、当該介助支援希望者の移動体通信端末に近い順に指定された前記必要な介助支援提供者の数だけ介助支援の依頼を通知するステップとを有している。
【００１４】
本発明によれば、介助支援希望者の移動体通信端末において介助支援に必要な人数を入力するようにし、その人数に基づいて介助支援の依頼が行われるので、不必要に多くの介助支援提供者が介助支援希望者のもとに到着したりすることなく必要な人数の介助支援提供者に対して介助支援の依頼を行うことができる。
【００１５】
また、前記介助支援希望者の移動体通信端末は、介助支援の依頼を通知した介助支援提供者が予め設定された時間内に到着しない旨の入力がされた場合、前記介助支援希望者の移動体通信端末から次に近い介助支援提供者の移動体通信端末に介助支援依頼を通知するようにしてもよい。
【００１６】
本発明によれば、介助支援希望者の１番近くにいる介助支援提供者が一定時間内に到着しない場合または介助支援依頼に対して応答してこなかった場合には、次に近い介助支援提供者に介助支援の依頼を自動的に行うようにしているので、介助支援希望者は介助支援を確実に受けることができるようになる。
【００１７】
【発明の実施の形態】
次に、本発明の実施の形態について図面を参照して詳細に説明する。本実施形態では、本発明の介助支援提供者通知システムの一実施形態として、ＳＩＯＮｅｔを用いて車椅子利用者から距離の一番近いボランティア提供者に通知を行うためのボランティア提供者通知システムを用いて説明する。
【００１８】
図１は、本発明の一実施形態のボランティア提供者通知システムの構成を示すシステム図である。ＳＩＯＮｅｔは、データをイベントとして送信する送信端末と、イベントとして送信されたデータを選択的に受信するために、イベントのタイプと取得条件とからなるフィルタが設定される受信端末とから構成される。
【００１９】
本実施形態のボランティア提供者通知システムでは、車椅子利用者の移動体通信端末５と、ボランティア提供者１〜３の移動体通信端末５〜８が意味情報ネットワーク（以下、ＳＩＯＮｅｔ：Ｓｅｍａｎｔｉｃ  Ｉｎｆｏｒｍａｔｉｏｎ−Ｏｒｉｅｎｔｅｄ  Ｎｅｔｗｏｒｋ）１３およびインターネット等のＩＰ通信網１４を介して接続されている。
【００２０】
また、ボランティア提供者の移動体通信端末５、ボランティア提供者の移動体通信端末６〜８ともに、位置情報取得手段であるＧＰＳ（Ｇｌｏｂａｌ  Ｐｏｓｉｔｉｏｎｉｎｇ  Ｓｙｓｔｅｍ）受信機９〜１２が設けられていて、その移動体通信端末の現在位置を緯度と経度の位置情報として取得することができるようになっている。
【００２１】
車椅子利用者およびボランティア提供者１〜３は、ＩＰ通信網１４を用いるかまたは直接に、ＳＩＯＮｅｔ１３にフィルタの設定およびイベントの送信を行っている。
【００２２】
移動体通信端末５〜８は、具体的には、携帯電話にＰＤＡ（Ｐｅｒｓｏｎａｌ  Ｄｉｇｉｔａｌ  Ａｓｓｉｓｔａｎｔｓ：携帯情報端末）等を接続することにより実現できる。
【００２３】
ボランティア提供者１〜３の移動体通信端末６〜８は、入力されたボランティア提供者の位置をフィルタとしてＳＩＯＮｅｔ１３に設定し、車椅子利用者の移動体通信端末５から送信されたイベントをＳＩＯＮｅｔ１３から受信し、ＧＰＳ受信機１０〜１２により取得された位置情報を含めた応答を、車椅子利用者の移動体通信端末５に送信する。
【００２４】
車椅子利用者の移動体通信端末５は、入力された車椅子利用者の位置をイベントとしてＳＩＯＮｅｔ１３に送信し、ボランティア提供者の移動体通信端末６〜８から送信されてきた応答を受信し、この応答に含まれている位置情報と、ＧＰＳ受信機９により取得された位置情報とから、各ボランティア提供者１〜３の移動体通信端末６〜８との間の距離をそれぞれ算出し、ボランティア提供者１〜３の移動体通信端末６〜８のうちから一番近いボランティア提供者の移動体通信端末に対して介助支援の依頼を通知する。
【００２５】
車椅子利用者の移動体通信端末５では、ＧＰＳ受信機９により現在の位置情報を取得して、ＳＩＯＮｅｔ１３にフィルタ２１の登録を行う。
【００２６】
ボランティア提供者１〜３の移動体通信端末６〜８では、ＧＰＳ受信機１０〜１２により現在の位置情報を取得して、ＳＩＯＮｅｔ１３にフィルタ２２、２３、２４として登録する。
【００２７】
次に、本実施形態のボランティア提供者通知システムにおける動作をフローチャートを参照して説明する。
【００２８】
ここでは、「花子」という車椅子利用者が「武蔵野デパート」において介助支援を受ける場合を用いて説明する。そして、ここでは、「武蔵野デパート」内には、車椅子利用者から近い順にボランティア提供者２（二郎さん）、ボランティア提供者１（一郎さん）、ボランティア提供者３（三郎さん）がいるものとする。
【００２９】
先ず、車椅子利用者に一番近いボランティア提供者２へ介助支援の提供を通知する方法を図２のフローチャートを参照して説明する。
【００３０】
先ず、上述したように、車椅子利用者の移動体通信端末５では、ＧＰＳ受信機９により取得した位置情報を用いてフィルタ２１をＳＩＯＮｅｔ１３に登録する（ステップ１０１）。ここで、ＧＰＳ受信機９が取得した移動体通信端末５の位置が座標（Ｕｘ、Ｕｙ）で表されるものとする。
【００３１】
車椅子利用者のフィルタ２１の具体例としては、図３（ａ）に示すように、イベントタイプ名を「介助支援」とし、プロパティとして「介護：享受」「緯度：１００．０１」「経度：１２０．０３」「場所：武蔵野デパート」「名前：花子」として設定する。ここで、プロパティの「場所」については、車椅子利用者が、現在いる場所の建物の名前等を入力することにより設定する。
【００３２】
次に、ボランティア提供者１〜３の移動体通信端末６〜８でも、ＧＰＳ受信機１０〜１２により取得した位置情報を用いてフィルタ２２〜２４をＳＩＯＮｅｔ１３に登録する（ステップ１０２）。
【００３３】
ここで、ＧＰＳ受信機１０が取得した移動体通信端末６の位置が座標（Ｖ１ｘ、Ｖ１ｙ）で表され、ＧＰＳ受信機１１が取得した移動体通信端末７の位置が座標（Ｖ２ｘ、Ｖ２ｙ）で表され、ＧＰＳ受信機１２が取得した移動体通信端末８の位置が座標（Ｖ３ｘ、Ｖ３ｙ）で表されるものとする。
【００３４】
ボランティア提供者１〜３のフィルタ２２〜２４の具体例を図４（ａ）〜図４（ｃ）に示す。例えば、ボランティア提供者２のフィルタは、図４（ｂ）に示すように、イベントタイプ名が「介助支援」として設定され、プロパティとして「介護：提供」「緯度：１００．２９」「経度：１０８．０３」「場所：武蔵野デパート」「名前：二郎」として設定されている。他のボランティア提供者１、３の移動体通信端末６、８でも同様に、図４（ａ）、図４（ｃ）に示すようなフィルタ２２、２４をＳＩＯＮｅｔ１３に設定する。
【００３５】
次に、車椅子利用者が、例えばデパート内で近くにいるボランティア提供者１、２、３に介助支援の提供を受ける場合、図３（ｂ）に示すように、イベントタイプ名が「介助支援」で、プロパティとして「介護：提供」が設定されている意味情報をＳＩＯＮｅｔ１３にイベント３１として送信する（ステップ１０３）。すると、このイベント３１が、近くにいるボランティア提供者１、２、３により登録されたフィルタ２２、２３、２４と発火し、車椅子利用者は応答情報（レスポンス）を移動体通信端末５で受信する（ステップ１０３）。この応答情報には、ボランティア提供者１〜３の移動体通信端末６〜８の位置情報が含まれている。
【００３６】
このレスポンスを受信した車椅子利用者の移動体通信端末５では、各レスポンスに含まれるボランティア提供者の位置情報（Ｖｘ、Ｖｙ）と自己のＧＰＳ受信機９により取得された位置情報（Ｕｘ、Ｕｙ）を用いて、下記の式（１）によりボランティア提供者１、２、３との距離を計算する（ステップ１０５）。
【００３７】
【数１】
2004310431.tif 000003
【００３８】
ここでは、ボランティア提供者２との距離が最も短かったものとすると、車椅子利用者の移動体通信端末５では、図３（ｃ）に示すようなイベント４１をＳＩＯＮｅｔ１３に送信する（ステップ１０６）。この図３（ｃ）に示されたイベント４１は、イベントタイプ名が「介助支援」として設定され、プロパティとして「介護：提供」、「名前：二郎」が設定され、データとして「花子」が含まれている。
【００３９】
このイベント４１は、プロパティとして「名前：二郎」が設定されているため、ボランティア提供者２により設定されたフィルタ２３とのみ発火して、ボランティア提供者２の移動体通信端末７にレスポンスとして送信される（ステップ１０７）。このレスポンスを受信したボランティア提供者２の移動体通信端末７は、図４（ｄ）に示すような、イベント５１をＳＩＯＮｅｔ１３に送信する（ステップ１０８）。このイベント５１は、図４（ｄ）に示されるように、介助支援を受託する旨のイベントであり、イベントタイプ名が「介助支援」として設定され、プロパティとして「介護：享受」、「名前：花子」が設定されている。このイベント５１は、プロパティとして「介護：享受」、「名前：花子」が設定されているので、車椅子利用者のフィルタ２１と発火して、車椅子利用者の移動体通信端末５にレスポンスとして送信される（ステップ１０９）。
【００４０】
このような処理が行われることにより、車椅子利用者は一番近くにいるボランティア提供者２に介助支援を依頼する通知を行って介助支援を受けることが可能となる。
【００４１】
上述したようなボランティア提供者通知システムによれば、車椅子利用者は、一番近くにいるボランティア提供者２に対して介助支援を依頼する通知を行うことができた。しかし、介助支援を依頼したボランティア提供者２からのレスポンスが戻って来ない場合もある。さらに、何等かの理由によりボランティア提供者２が車椅子利用者がいる場所へ到着しない場合もあり得る。
【００４２】
次に、一番近いボランティア提供者２が時間になっても到着しない場合、２番目に近いボランティア提供者１、３番目に近いボランティア提供者３に介助支援依頼の通知を行う方法を図５のフローチャートを参照して説明する。
【００４３】
車椅子利用者の移動体通信端末５は、１番目に近いボランティア提供者２が予め設定された一定時間内に到着しない場合、２番目に近いボランティア提供者１に、イベントタイプ名が「介助支援」、プロパティとして「介護：提供」、「名前：一郎」が設定されているイベントを意味情報としてＳＩＯＮｅｔ１３に送信する（以上ステップ２０１）。このイベントがボランティア提供者１のフィルタ２２と発火すると、ボランティア提供者１の移動体通信端末６はレスポンスを受信することとなる（ステップ２０２）。このレスポンスを受信した移動体通信端末６は、介護支援の意味情報としてＳＩＯＮｅｔ１３にイベントとして送信する（ステップ２０３）。移動体通信端末６から送信されたイベントがフィルタ２１と発火すると、車椅子利用者の移動体通信端末５はこのイベントをレスポンスとして受信する（ステップ２０４）。ここで、２番目に近いボランティア提供者１からのレスポンスが移動体通信端末５により受信されれば処理は終了する。２番目に近いボランティア提供者１からのレスポンスが無い場合には、移動体通信端末５は処理を継続する。
【００４４】
そして、２番目に近いボランティア提供者１からレスポンスが戻ってこない場合や、２番目に近いボランティア提供者１が一定時間内に車椅子利用者の場所に到着しない場合は、同様にして３番目に近いボランティア提供者３にイベントとしてＳＩＯＮｅｔ１３に送信する（ステップ２０５）。そして、このイベントがボランティア提供者３のフィルタ２４と発火すると、ボランティア提供者３の移動体通信端末８はレスポンスを受信することとなる（ステップ２０６）。このレスポンスを受信した移動体通信端末８は、介護支援の意味情報としてＳＩＯＮｅｔ１３にイベントとして送信する（ステップ２０７）。移動体通信端末８から送信されたイベントがフィルタ２１と発火すると、車椅子利用者の移動体通信端末５はこのイベントをレスポンスとして受信する（ステップ２０８）。そして、３番目に近いボランティア提供者３からのレスポンスが移動体通信端末５により受信されれば処理は終了する。
【００４５】
このような処理が行われることにより、介助支援希望者の１番近くにいる介助支援提供者２が一定時間内に到着しない場合または介助支援依頼に対して応答してこなかった場合には、次に近い介助支援提供者１に対して介助支援の依頼が自動的に行われる。さらに、助支援提供者１が一定時間内に到着しない場合または介助支援依頼に対して応答してこなかった場合には、次に近い介助支援提供者３に対して介助支援の依頼が自動的に行われる。そのため、介助支援希望者は介助支援を確実に受けることができるようになる。
【００４６】
また、ボランティア提供者１、２、３同志がお互いに介助支援情報を取得する為、ＳＩＯＮｅｔ１３にフィルタを登録し、お互いに情報交換をしながら介助支援の提供をするようにしてもよい。
【００４７】
また、本実施形態では、介助支援提供者がボランティア提供者の場合を用いて説明しているが、本発明はこのような場合に限定されるものではない。例えば、ボランティア提供者が、駅あるいはデパート等の施設の担当者の場合でも、本実施形態のボランティア提供者通知システムにより同様にして介助支援の依頼を通知することが可能である。つまり、駅或いはデパート等施設の担当者は、ＳＩＯＮｅｔにフィルタを登録しておくことにより、車椅子利用者等の介護支援の依頼を受けて介助支援を提供をすることが可能である。
【００４８】
本実施形態では、車椅子利用者の一番近くにいるボランティア提供者に対して介助支援の依頼を行うものであったが、介助支援に複数のボランティア提供者が必要な場合には、車椅子利用者が移動体通信端末に必要な人数を設定するようにしてもよい。この場合、車椅子利用者のイベントに対してレスポンスを返してきた複数のボランティア提供者のうちから、距離が短い順に必要な人数のボランティア提供者に対して介助支援の依頼を通知するようにすればよい。
【００４９】
このようにすれば、車椅子利用者の移動体通信端末において入力された人数に基づいて介助支援の依頼が行われるので、不必要に多くのボランティア提供者が車椅子利用者のもとに到着したりすることなく必要な人数のボランティア提供者に対して介助支援の依頼を行うことができる。
【００５０】
本実施形態のボランティア提供者通知システムによれば、車椅子利用者等は、介助支援が必要となった場合、一番近くのボランティア提供者に介助支援の依頼を自動的に行うことができる。また、ボランティア提供者にとっても、介助支援を必要とする車椅子利用者等が近くに来たことを知らせてもらうことが可能となり、どこの場所に車椅子利用者がいるのかを容易に把握することができるようになる。
【００５１】
さらに、介助支援の依頼を通知したボランティア提供者が一定時間内に到着しない場合には、２番目、３番目に近いボランティア提供者へ通知をすることができ、又複数のボランティア提供者の介助支援が必要な場合には、人数を指定することにより必要な数のボランティア提供者への介助支援の依頼を行うこともできる。
【００５２】
さらに、本実施形態では、介助支援を必要とする介助希望者の一例として車椅子利用者を用いて説明したが、本発明はこのような場合に限定されるものではなく、介助支援を必要とする介助希望者であれば同様に適用することができるものである。
【００５３】
また、図には示されていないが、本実施形態における移動体通信端末５〜８は、上記で説明したボランティア提供者通知方法を実行するためのプログラムを記録した記録媒体を備えている。この記録媒体は磁気ディスク、半導体メモリまたはその他の記録媒体であってもよい。このプログラムは、記録媒体から移動体通信端末５〜８に読み込まれ、移動体通信端末５〜８の動作を制御する。具体的には、移動体通信端末５〜８内のＣＰＵがこのプログラムの制御により移動体通信端末５〜８のハードウェア資源に特定の処理を行うように指示することにより上記の処理が実現される。
【００５４】
【発明の効果】
以上説明したように、本発明によれば、下記のような効果を得ることができる。
（１）車椅子利用者等の介助支援希望者は、介助支援が必要となった場合、一番近くの介助支援提供者に介助支援の依頼を自動的に行うことができる。
（２）また、介助支援提供者にとっても、介助支援を必要とする介助支援希望者が近くに来たことを知らせてもらうことが可能となり、どの場所に介助支援希望者がいるのかを容易に把握することができるようになる。
【図面の簡単な説明】
【図１】本発明の一実施形態のボランティア提供者通知システムの構成を示すシステム図である。
【図２】一番距離の近いボランティア提供者に通知を行う場合の処理を示すフローチャートである。
【図３】車椅子利用者が登録するフィルタ２１および送信するイベント３１、４１の具体例を示す図である。
【図４】ボランティア提供者１〜３が登録するフィルタ２２〜２４とボランティア提供者２が送信するイベント５１の具体例を示す図である。
【図５】２番目、３番目の距離の近いボランティア提供者に通知を行う場合の処理を示すフローチャートである。
【符号の説明】
５    車椅子利用者の移動体通信端末
６〜８    ボランティア提供者の移動体通信端末
９〜１２    ＧＰＳ受信機
１３    意味情報ネットワーク（ＳＩＯＮｅｔ）
１４    ＩＰ通信網
２１    車椅子利用者のフィルタ
２２〜２４    ボランティア提供者のフィルタ
３１、４１    車椅子利用者のイベント
５１、５２、５３    ボランティア提供者のイベント
１０１〜１０９    ステップ
２０１〜２０８    ステップ
【図１】
2004310431.tif 000004
【図２】
2004310431.tif 000005
【図３】
2004310431.tif 000006
【図４】
2004310431.tif 000007
【図５】
2004310431.tif 000008